(57)【要約】【課題】素体からの端子電極の剥離を抑制しつつ、特性の低下を抑制できる積層コイル部品を提供する。【解決手段】積層コイル部品１では、第１面２ｄと、第１面２ｄに直交する方向に延在する第２面２ａ，２ｂと、を有する素体２と、素体２内に配置されているコイル７と、第２面２ａ，２ｂに沿うように第１面２ｄに直交する方向に延在する第１電極部分４ａ，５ａを有する端子電極４，５と、を備え、端子電極４，５の第１電極部分４ａ，５ａの少なくとも一部は、素体２内に配置されており、素体２内に位置する第１電極部分４ａ，５ａにおいて第１面２ｄに対して第１面２ｄに直交する方向で最も離れた位置から、第２面２ａ，２ｂに向けて第１面２ｄと平行な方向に延びる仮想線Ｌ１，Ｌ３と、第１面２ｄとの間に素体２が存在している。【選択図】図３
2019192829.tif 000002
【特許請求の範囲】
【請求項１】
第１面と、当該第１面に直交する方向に延在する第２面と、を有する素体と、
前記素体内に配置されているコイルと、
前記第２面に沿うように前記第１面に直交する方向に延在する第１電極部分を有する端子電極と、を備え、
前記端子電極の前記第１電極部分の少なくとも一部は、前記素体内に配置されており、
前記素体内に位置する前記第１電極部分において前記第１面に対して当該第１面に直交する方向で最も離れた位置から、前記第２面に向けて前記第１面と平行な方向に延びる仮想線と、前記第１面との間に前記素体が存在している、積層コイル部品。
【請求項２】
前記端子電極は、前記第１面に沿うように前記第２面に直交する方向に延在する第２電極部分を有している、請求項１に記載の積層コイル部品。
【請求項３】
前記端子電極の前記第２電極部分の少なくとも一部は、前記素体内に配置されており、
前記素体内に位置する前記第２電極部分において前記第２面に対して当該第２面に直交する方向で最も離れた位置から、前記第１面に向けて前記第２面と平行な方向に延びる仮想線と、前記第２面との間に前記素体が存在している、請求項２に記載の積層コイル部品。
【請求項４】
前記素体の前記第１面が実装面である、請求項１〜３のいずれか一項に記載の積層コイル部品。
【請求項５】
前記素体の前記第１面は実装面であり、
前記端子電極は、前記第１面に沿うように前記第２面に直交する方向に延在すると共に、前記第１面上に配置される第２電極部分を有している、請求項１に記載の積層コイル部品。
【発明の詳細な説明】
【技術分野】
【０００１】
本発明は、積層コイル部品に関する。
【背景技術】
【０００２】
従来の積層コイル部品として、例えば、特許文献１に記載されているものが知られている。特許文献１に記載の積層コイル部品は、第１の方向に延在する第１の辺及び第２の方向に延在する第２の辺を有する絶縁体層と、第１の辺と第２の辺とが交差する第１の点に設けられている外部導体層と、を備えている。特許文献１に記載の積層コイル部品では、外部導体層において、第１の点から第１の方向の一方側に最も離れている部分における第１の点から第２の方向の一方側に最も離れた位置を第２の点と定義し、外部導体層において、第１の点から第２の方向の一方側に最も離れている部分における該第１の点から第１の方向の一方側に最も離れた位置を第３の点と定義し、外部導体層は、第２の点と第３の点とを結ぶ第３の辺、第２の点から第１の方向の他方側に向かって伸びる第４の辺、及び、第３の点から第２の方向の他方側に向かって伸びる第５の辺を有する領域内に位置する固定部を有している。
【先行技術文献】
【特許文献】
【０００３】
【特許文献１】特開２０１７−１５７７７０号公報
【発明の概要】
【発明が解決しようとする課題】
【０００４】
従来の積層コイル部品では、端子電極が素体から脱落（剥離）することを抑制することを目的として、固定部を設けている。しかしながら、従来の積層コイル部品では、固定部とコイルとが近接して設けられている。そのため、従来の積層コイル部品では、固定部とコイルとの間に浮遊容量（寄生容量）が発生し得る。これにより、積層コイル部品の特性が低下するおそれがある。
【０００５】
本発明の一側面は、素体からの端子電極の剥離を抑制しつつ、特性の低下を抑制できる積層コイル部品を提供することを目的とする。
【課題を解決するための手段】
【０００６】
本発明の一側面に係る積層コイル部品は、第１面と、当該第１面に直交する方向に延在する第２面と、を有する素体と、素体内に配置されているコイルと、第２面に沿うように第１面に直交する方向に延在する電極部分を有する端子電極と、を備え、端子電極の電極部分の少なくとも一部は、素体内に配置されており、素体内に位置する電極部分において第１面に対して当該第１面に直交する方向で最も離れた位置から、第２面に向けて第１面と平行な方向に延びる仮想線と、第１面との間に素体が存在している。
【０００７】
本発明の一側面に係る積層コイル部品では、上記仮想線と第１面との間に素体が存在している。これにより、積層コイル部品では、端子電極に対して、第１面と平行な方向において第２面の外側に向かう力が作用したとしても、第１電極部分と第２面との間に素体が存在しているため、第１電極部分の剥離が素体によって阻止される。したがって、積層コイル部品では、素体からの端子電極の剥離を抑制できる。
【０００８】
また、積層コイル部品では、上記構成により、素体からの端子電極の剥離を抑制できる。そのため、積層コイル部品では、従来のように固定部を設けなくてもよい。したがって、積層コイル部品では、コイルとの間に浮遊容量が発生することを抑制できる。そのため、積層コイル部品では、特性の低下を抑制できる。
【０００９】
一実施形態においては、端子電極は、第１面に沿うように第２面に直交する方向に延在する第２電極部分を有していてもよい。この構成では、端子電極が略Ｌ字状を呈している。そのため、積層コイル部品では、素体からの端子電極の剥離をより一層抑制できる。
【００１０】
一実施形態においては、端子電極の第２電極部分の少なくとも一部は、素体内に配置されており、素体内に位置する第２電極部分において第２面に対して当該第２面に直交する方向で最も離れた位置から、第１面に向けて第２面と平行な方向に延びる仮想線と、第２面との間に素体が存在していてもよい。この構成では、仮想線と第２面との間に素体が存在している。これにより、積層コイル部品では、端子電極に対して、第２面と平行な方向において第１面の外側に向かう力が作用したとしても、第２電極部分と第２面との間に素体が存在しているため、第２電極部分の剥離が素体によって阻止される。したがって、積層コイル部品では、素体からの端子電極の剥離をより一層抑制できる。
【００１１】
一実施形態においては、素体の第１面が実装面であってもよい。積層コイル部品が回路基板等に実装された場合、熱衝撃により素体に加わる力は、実装面から離れた位置の電極部分の端部に最も大きく作用する傾向にある。これにより、第１電極部分の素体からの剥離が生じ易い。そのため、素体の第１面が実装面である場合において、仮想線と第１面との間に素体が存在している構成は、第１電極部分の剥離の抑制に特に有効である。
【００１２】
一実施形態においては、素体の第１面は実装面であり、端子電極は、第１面に沿うように第２面に直交する方向に延在すると共に、第１面上に配置される第２電極部分を有していてもよい。積層コイル部品が回路基板等に実装された場合、熱衝撃により素体に加わる力は、実装面から離れた位置の電極部分の端部に最も大きく作用する傾向にある。これにより、第１電極部分の素体からの剥離が生じ易い。そのため、素体の第１面が実装面である場合において、仮想線と第１面との間に素体が存在している構成は、第１電極部分の剥離の抑制に特に有効である。
【発明の効果】
【００１３】
本発明の一側面によれば、素体からの端子電極の剥離を抑制しつつ、特性の低下を抑制できる。
【図面の簡単な説明】
【００１４】
【図１】図１は、一実施形態に係る積層コイル部品の斜視図である。
【図２】図２は、積層コイル部品の素体の分解斜視図である。
【図３】図３は、積層コイル部品の断面構成を示す図である。
【図４】図４は、他の実施形態に係る積層コイル部品の素体の分解斜視図である。
【図５】図５（ａ）及び図５（ｂ）は、他の実施形態に係る積層コイル部品の断面構成を示す図である。
【図６】図６（ａ）及び図６（ｂ）は、他の実施形態に係る積層コイル部品の断面構成を示す図である。
【発明を実施するための形態】
【００１５】
以下、添付図面を参照して、本発明の好適な実施形態について詳細に説明する。なお、図面の説明において同一又は相当要素には同一符号を付し、重複する説明は省略する。
【００１６】
図１に示されるように、積層コイル部品１は、素体２と、素体２の両端部にそれぞれ配置された第１端子電極４及び第２端子電極５と、を備えている。
【００１７】
素体２は、直方体形状を呈している。直方体形状には、角部及び稜線部が面取りされている直方体の形状、及び、角部及び稜線部が丸められている直方体の形状が含まれる。素体２は、その外表面として、互いに対向している一対の端面（第１面、第２面）２ａ，２ｂと、互いに対向している一対の主面（第１面、第２面）２ｃ，２ｄと、互いに対向している一対の側面２ｅ，２ｆと、を有している。一対の主面２ｃ，２ｄが対向している対向方向（端面２ａ，２ｂに平行な方向）が第１方向Ｄ１である。一対の端面２ａ，２ｂが対向している対向方向（主面２ｃ，２ｄに平行な方向）が第２方向Ｄ２である。一対の側面２ｅ，２ｆが対向している対向方向が第３方向Ｄ３である。本実施形態では、第１方向Ｄ１は、素体２の高さ方向である。第２方向Ｄ２は、素体２の長手方向であり、第１方向Ｄ１と直交している。第３方向Ｄ３は、素体２の幅方向であり、第１方向Ｄ１と第２方向Ｄ２とに直交している。
【００１８】
一対の端面２ａ，２ｂは、一対の主面２ｃ，２ｄの間を連結するように第１方向Ｄ１に延びている。一対の端面２ａ，２ｂは、第３方向Ｄ３（一対の主面２ｃ，２ｄの短辺方向）にも延びている。一対の側面２ｅ，２ｆは、一対の主面２ｃ，２ｄの間を連結するように第１方向Ｄ１に延びている。一対の側面２ｅ，２ｆは、第２方向Ｄ２（一対の端面２ａ，２ｂの長辺方向）にも延びている。本実施形態では、主面２ｄは、積層コイル部品１を他の電子機器（例えば、回路基板、又は、電子部品など）に実装する際、他の電子機器と対向する実装面として規定される。
【００１９】
図２に示されるように、素体２は、一対の側面２ｅ，２ｆが対向している方向に複数の誘電体層（絶縁体層）６が積層されて構成されている。素体２では、複数の誘電体層６の積層方向（以下、単に「積層方向」と称する。）が第３方向Ｄ３と一致する。各誘電体層６は、例えば誘電体材料（ＢａＴｉＯ３系、Ｂａ(Ｔｉ，Ｚｒ)Ｏ３系、又は（Ｂａ，Ｃａ）ＴｉＯ３系などの誘電体セラミック）を含むセラミックグリーンシートの焼結体から構成される。実際の素体２では、各誘電体層６は、各誘電体層６の間の境界が視認できない程度に一体化されている。
【００２０】
第１端子電極４は、素体２の端面２ａ側に配置されており、第２端子電極５は、素体２の端面２ｂ側に配置されている。すなわち、第１端子電極４及び第２端子電極５は、一対の端面２ａ，２ｂの対向方向に互いに離間して位置している。第１端子電極４及び第２端子電極５は、導電性材料（たとえば、Ａｇ又はＰｄなど）を含んでいる。第１端子電極４及び第２端子電極５は、導電性金属粉末（たとえば、Ａｇ粉末又はＰｄ粉末など）を含む導電性ペーストの焼結体として構成される。第１端子電極４及び第２端子電極５には、電気めっきが施されることにより、その表面にはめっき層が形成されている。電気めっきには、たとえばＮｉ、Ｓｎなどが用いられる。
【００２１】
第１端子電極４は、素体２に埋設されている。第１端子電極４は、端面２ａ及び主面２ｄに跨がって配置されている。本実施形態では、第１端子電極４の表面は、端面２ａ及び主面２ｄのそれぞれと面一である。
【００２２】
第１端子電極４は、第３方向Ｄ３から見て、Ｌ字状を呈している。第１端子電極４は、第１電極部分４ａと、第２電極部分４ｂと、を有している。第１電極部分４ａと第２電極部分４ｂとは、素体２の稜線部において接続されており、互いに電気的に接続されている。第１電極部分４ａは、第１方向Ｄ１に沿って延在している。第１電極部分４ａは、第３方向Ｄ３から見て、長方形状を呈している。第２電極部分４ｂは、第２方向Ｄ２に沿って延在している。第２電極部分４ｂは、第３方向Ｄ３から見て、長方形状を呈している。第１電極部分４ａ及び第２電極部分４ｂは、第３方向Ｄ３に沿って延在している。
【００２３】
第１電極部分４ａには、第１突起部４ｃが設けられている。第１突起部４ｃは、第１電極部分４ａの主面２ｃ側の端部から主面２ｃに向かって突出している。第１突起部４ｃは、第１電極部分４ａの端部において、端面２ｂ側の位置に設けられている。第２電極部分４ｂには、第２突起部４ｄが設けられている。第２突起部４ｄは、第２電極部分４ｂの端面２ｂ側の端部から端面２ｂに向かって突出している。第２突起部４ｄは、第２電極部分４ｂの端部において、主面２ｃ側の位置に設けられている。第１突起部４ｃ及び第２突起部４ｄのそれぞれは、先端が湾曲した形状を呈している。
【００２４】
図２に示されるように、第１端子電極４は、複数の電極層１０〜１５が積層されて構成されている。電極層１０〜１５のそれぞれは、誘電体層６の凹部に設けられている。電極層１０〜１５は、誘電体層６に凹部を形成し、凹部に導電性ペーストが充填されて焼成されることで形成されている。電極層１０〜１５のそれぞれは、誘電体層６上に配置されている。なお、図２に示す誘電体層６は、電極層１０〜１５が配置されている誘電体層と、電極層１０〜１５の形状に対応するパターンが設けられた誘電体層（パターンシート）とが重ねられて構成されている。
【００２５】
電極層１０は、第３方向Ｄ３から見て、Ｌ字状を呈している。電極層１０は、第１部分１０ａと、第２部分１０ｂと、を有している。第１部分１０ａは、第１方向Ｄ１に沿って延在している。第２部分１０ｂは、第２方向Ｄ２に沿って延在している。第１部分１０ａには、主面２ｃ側の端部から主面２ｃに向かって突出する突起部１０ｃが設けられている。第２部分１０ｂには、端面２ｂ側の端部から端面２ｂに向かって突出する突起部１０ｄが設けられている。
【００２６】
電極層１１〜１５は、電極層１０と同様の構成を有している。電極層１１は、第１部分１１ａと、第２部分１１ｂと、を有している。第１部分１１ａには、突起部１１ｃが設けられている。第２部分１１ｂには、突起部１１ｄが設けられている。電極層１２は、第１部分１２ａと、第２部分１２ｂと、を有している。第１部分１２ａには、突起部１２ｃが設けられている。第２部分１２ｂには、突起部１２ｄが設けられている。電極層１３は、第１部分１３ａと、第２部分１３ｂと、を有している。第１部分１３ａには、突起部１３ｃが設けられている。第２部分１３ｂには、突起部１３ｄが設けられている。
【００２７】
電極層１４は、第１部分１４ａと、第２部分１４ｂと、を有している。第１部分１４ａには、突起部１４ｃが設けられている。第２部分１４ｂには、突起部１４ｄが設けられている。電極層１５は、第１部分１５ａと、第２部分１５ｂと、を有している。第１部分１５ａには、突起部１５ｃが設けられている。第２部分１５ｂには、突起部１５ｄが設けられている。
【００２８】
第１端子電極４の第１電極部分４ａは、電極層１０〜１５の第１部分１０ａ〜１５ａが積層されることにより構成されている。第１端子電極４の第２電極部分４ｂは、電極層１０〜１５の第２部分１０ｂ〜１５ｂが積層されることにより構成されている。第１端子電極４の第１突起部４ｃは、電極層１０〜１５の突起部１０ｃ〜１５ｃが積層されることにより構成されている。第１端子電極４の第２突起部４ｄは、電極層１０〜１５の突起部１０ｄ〜１５ｄが積層されることにより構成されている。
【００２９】
図３に示されるように、第２端子電極５は、素体２に埋設されている。第２端子電極５は、端面２ｂ及び主面２ｄに跨がって配置されている。本実施形態では、第２端子電極５の表面は、端面２ｂ及び主面２ｄのそれぞれと面一である。
【００３０】
第２端子電極５は、第３方向Ｄ３から見て、Ｌ字状を呈している。第２端子電極５は、第１電極部分５ａと、第２電極部分５ｂと、を有している。第１電極部分５ａと第２電極部分５ｂとは、素体２の稜線部において接続されており、互いに電気的に接続されている。第１電極部分５ａは、第１方向Ｄ１に沿って延在している。第１電極部分５ａは、第３方向Ｄ３から見て、長方形状を呈している。第２電極部分５ｂは、第２方向Ｄ２に沿って延在している。第２電極部分５ｂは、第３方向Ｄ３から見て、長方形状を呈している。第１電極部分５ａ及び第２電極部分５ｂは、第３方向Ｄ３に沿って延在している。
【００３１】
第１電極部分５ａには、第１突起部５ｃが設けられている。第１突起部５ｃは、第１電極部分５ａの主面２ｃ側の端部から主面２ｃに向かって突出している。第１突起部５ｃは、第１電極部分５ａの端部において、端面２ａ側の位置に設けられている。第２電極部分５ｂには、第２突起部５ｄが設けられている。第２突起部５ｄは、第２電極部分５ｂの端面２ａ側の端部から端面２ａに向かって突出している。第２突起部５ｄは、第２電極部分５ｂの端部において、主面２ｃ側の位置に設けられている。第１突起部５ｃ及び第２突起部５ｄのそれぞれは、先端が湾曲した形状を呈している。
【００３２】
図２に示されるように、第２端子電極５は、複数の電極層１６〜２１が積層されて構成されている。電極層１６〜２１のそれぞれは、誘電体層６の凹部に設けられている。電極層１６〜２１は、誘電体層６に凹部を形成し、凹部に導電性ペーストが充填されて焼成されることで形成されている。電極層１６〜２１は、電極層１０〜１５と同様の方法により形成される。電極層１６〜２１のそれぞれは、誘電体層６上に配置されている。なお、図２に示す誘電体層６は、電極層１６〜２１が配置されている誘電体層と、電極層１６〜２１の形状に対応するパターンが設けられた誘電体層（パターンシート）とが重ねられて構成されている。
【００３３】
電極層１６は、第３方向Ｄ３から見て、Ｌ字状を呈している。電極層１６は、第１部分１６ａと、第２部分１６ｂと、を有している。第１部分１６ａは、第１方向Ｄ１に沿って延在している。第２部分１６ｂは、第２方向Ｄ２に沿って延在している。第１部分１６ａには、主面２ｃ側の端部から主面２ｃに向かって突出する突起部１６ｃが設けられている。第２部分１６ｂには、端面２ａ側の端部から端面２ａに向かって突出する突起部１６ｄが設けられている。
【００３４】
電極層１７〜２１は、電極層１６と同様の構成を有している。電極層１７は、第１部分１７ａと、第２部分１７ｂと、を有している。第１部分１７ａには、突起部１７ｃが設けられている。第２部分１７ｂには、突起部１７ｄが設けられている。電極層１８は、第１部分１８ａと、第２部分１８ｂと、を有している。第１部分１８ａには、突起部１８ｃが設けられている。第２部分１８ｂには、突起部１８ｄが設けられている。電極層１９は、第１部分１９ａと、第２部分１９ｂと、を有している。第１部分１９ａには、突起部１９ｃが設けられている。第２部分１９ｂには、突起部１９ｄが設けられている。
【００３５】
電極層２０は、第１部分２０ａと、第２部分２０ｂと、を有している。第１部分２０ａには、突起部２０ｃが設けられている。第２部分２０ｂには、突起部２０ｄが設けられている。電極層２１は、第１部分２１ａと、第２部分２１ｂと、を有している。第１部分２１ａには、突起部２１ｃが設けられている。第２部分２１ｂには、突起部２１ｄが設けられている。
【００３６】
第２端子電極５の第１電極部分５ａは、電極層１６〜２１の第１部分１６ａ〜２１ａが積層されることにより構成されている。第２端子電極５の第２電極部分５ｂは、電極層１６〜２１の第２部分１６ｂ〜２１ｂが積層されることにより構成されている。第２端子電極５の第１突起部５ｃは、電極層１６〜２１の突起部１６ｃ〜２１ｃが積層されることにより構成されている。第２端子電極５の第２突起部５ｄは、電極層１６〜２１の突起部１６ｄ〜２１ｄが積層されることにより構成されている。
【００３７】
積層コイル部品１は、図２に示されるように、素体２内にコイル７が配置されている。コイル７のコイル軸は、第３方向Ｄ３に沿って延在している。図２に示されるように、コイル７は、第１導体２２と、第２導体２３と、第３導体２４と、第４導体２５と、第５導体２６と、第６導体２７と、が電気的に接続されて構成されている。各導体２２〜２７は、第３方向Ｄ３において、所定の厚みを有している。各導体２２〜２７は、導電性材料（例えば、Ａｇ又はＰｄなど）からなる。各導体２２〜２７は、上記導電性材料を含む導電性ペーストの焼結体として構成される。本実施形態では、各導体２２〜２７（コイル７）は、第１端子電極４及び第２端子電極５と同じ導電性材料で形成されている。各導体２２〜２７と電極層１０〜１５及び電極層１６〜２１とは、同時焼成により形成される。各導体２２〜２６のそれぞれは、誘電体層６上に配置されている。なお、図２に示す誘電体層６は、各導体２２〜２７が配置されている誘電体層と、各導体２２〜２７の形状に対応するパターンが設けられた誘電体層（パターンシート）とが重ねられて構成されている。
【００３８】
コイル７の一端部と第１端子電極４とは、接続部２７ａによって電気的に接続されている。コイル７の他端部と第２端子電極５とは、接続部２２ａによって電気的に接続されている。接続部２２ａは、第１導体２２と一体に形成されている。接続部２７ａは、第６導体２７と一体に形成されている。
【００３９】
図３に示されるように、積層コイル部品１では、第１端子電極４の第１電極部分４ａにおいて主面（実装面）２ｄに対して最も離れた位置である第１突起部４ｃの端部から、端面２ａに向けて第２方向Ｄ２に延びる仮想線Ｌ１と、主面２ｄとの間に素体２が存在している。すなわち、積層コイル部品１では、第１突起部４ｃと端面２ａとの間に、素体２が存在している。また、積層コイル部品１では、第１端子電極４の第２電極部分４ｂにおいて端面２ａに対して最も離れた位置である第２突起部４ｄの端部から、主面２ｄに向けて第１方向Ｄ１に延びる仮想線Ｌ２と、端面２ａとの間に素体２が存在している。すなわち、積層コイル部品１では、第１突起部５ｃと端面２ｂとの間に、素体２が存在している。
【００４０】
積層コイル部品１では、第２端子電極５の第１電極部分５ａにおいて主面２ｄに対して最も離れた位置である第１突起部５ｃの端部から、端面２ｂに向けて第２方向Ｄ２に延びる仮想線Ｌ３と、主面２ｄとの間に素体２が存在している。すなわち、積層コイル部品１では、第２突起部４ｄと主面２ｄとの間に、素体２が存在している。また、積層コイル部品１では、第２端子電極５の第２電極部分５ｂにおいて端面２ｂに対して最も離れた位置である第２突起部５ｄの端部から、主面２ｄに向けて第１方向Ｄ１に延びる仮想線Ｌ４と、端面２ｂとの間に素体２が存在している。すなわち、積層コイル部品１では、第２突起部５ｄと主面２ｄとの間に、素体２が存在している。
【００４１】
以上説明したように、本実施形態に係る積層コイル部品１では、上記仮想線Ｌ１，Ｌ３と実装面である主面２ｄとの間に素体２が存在している。これにより、積層コイル部品１では、第１端子電極４及び第２端子電極５に対して、第２方向Ｄ２において端面２ａ，２ｂの外側に向かう力が作用したとしても、第１電極部分４ａの第１突起部４ｃと端面２ａとの間、及び、第１電極部分５ａと第１突起部５ｃとの間に素体２が存在しているため、第１電極部分４ａ，５ａの剥離が素体２によって阻止される。具体的には、第１突起部４ｃ及び第１突起部５ｃが素体２に引っ掛かる（係止される）ため、第１電極部分４ａ，５ａの剥離が素体２によって阻止される。したがって、積層コイル部品１では、素体２からの第１端子電極４及び第２端子電極５の剥離を抑制できる。
【００４２】
積層コイル部品１が回路基板等に実装された場合、熱衝撃により素体２に加わる力は、実装面である主面２ｄから離れた位置の第１電極部分４ａ，５ａの端部に最も大きく作用する傾向にある。これにより、積層コイル部品１では、第１電極部分４ａ，５ａの素体２からの剥離が生じ易い。そのため、素体２の主面２ｄが実装面である場合において、仮想線Ｌ１，Ｌ３と端面２ａ，２ｂとの間に素体２が存在している構成は、第１電極部分４ａ，５ａの剥離の抑制に特に有効である。
【００４３】
また、積層コイル部品１では、上記構成により、素体２からの第１端子電極４及び第２端子電極５の剥離を抑制できる。そのため、積層コイル部品１では、従来のように固定部を設けなくてもよい。したがって、積層コイル部品１では、コイル７との間に浮遊容量が発生することを抑制できる。そのため、積層コイル部品１では、特性の低下を抑制できる。
【００４４】
本実施形態に係る積層コイル部品１では、第１端子電極４及び第２端子電極５は、第２電極部分４ｂ，５ｂを有しており、第２電極部分４ｂ，５ｂは、素体２内に配置されている。積層コイル部品１では、素体２内に位置する第２電極部分４ｂ，５ｂにおいて端面２ａ，２ｂに対して第２方向Ｄ２で最も離れた位置から、主面２ｄに向けて第１方向Ｄ１に延びる仮想線Ｌ２，Ｌ４と、端面２ａ，２ｂとの間に素体２が存在していている。この構成でぇあ、仮想線Ｌ２，Ｌ４と端面２ａ，２ｂとの間に素体２が存在している。これにより、積層コイル部品１では、第１端子電極４及び第２端子電極５に対して、第１方向Ｄ１において主面２ｄの外側に向かう力が作用したとしても、第２電極部分４ｂの第２突起部４ｄと主面２ｄとの間、及び、第２電極部分５ｂの第２突起部５ｄと主面２ｄとの間に素体２が存在しているため、第２電極部分４ｂ，５ｂの剥離が素体２によって阻止される。したがって、積層コイル部品１では、素体２からの第１端子電極４及び第２端子電極５をより一層抑制できる。
【００４５】
以上、本発明の実施形態について説明してきたが、本発明は必ずしも上述した実施形態に限定されるものではなく、その要旨を逸脱しない範囲で様々な変更が可能である。
【００４６】
上記実施形態では、第１端子電極４の第１電極部分４ａに第１突起部４ｃが設けられおり、第２電極部分４ｂに第２突起部４ｄが設けられている形態を一例に説明した。同様に、第２端子電極５の第１電極部分５ａに第１突起部５ｃが設けられおり、第２電極部分５ｂに第２突起部５ｄが設けられている形態を一例に説明した。しかし、突起部は、第１電極部分４ａ，５ａ及び第２電極部分４ｂ，５ｂの少なくとも一方に設けられていればよい。素体２の主面２ｄが実装面である場合には、第１電極部分４ａ，５ａに突起部が設けられていることが好ましい。
【００４７】
上記実施形態では、第１端子電極４が素体２に埋設されており、第１端子電極４の表面が端面２ａ及び主面２ｄのそれぞれと面一である形態を一例に説明した。第２端子電極５も同様に、第２端子電極５が素体２に埋設されており、第２端子電極５の表面が端面２ｂ及び主面２ｄのそれぞれと面一である形態を一例に説明した。しかし、第１端子電極４及び第２端子電極５の形状はこれに限定されない。例えば、第１端子電極４の第２電極部分４ｂ及び第２端子電極５の第２電極部分５ｂは、主面２ｄ上に配置されていてもよい。この構成では、少なくとも、第１端子電極４の第１電極部分に第１突起部４ｃが設けられており、第２端子電極５の第１電極部分５ａに第１突起部５ｃに設けられていてもよい。
【００４８】
上記実施形態では、素体２内にコイル７が配置されており、コイル７が各導体２２〜２７で構成されている形態を一例に説明した。しかし、コイルの構成はこれに限定されない。
【００４９】
図４に示されるように、例えば、図４に示されるように、素体２Ａ内に配置されているコイル７Ａは、第１導体３０と、第２導体３１と、第３導体３２と、第４導体３３と、第５導体３４と、第６導体３５と、第７導体３６と、が電気的に接続されて構成されている。なお、図４に示す第１端子電極４は、電極層１０〜１５に加えて、電極層１５Ａを含んで構成されている。電極層１５Ａは、第１部分１５Ａａ、第２部分１５Ａｂ、第１突起部１５Ａｃ及び第２突起部１５Ａｄを有している。第２端子電極５は、電極層１６〜２１に加えて、電極層２１Ａを含んで構成されている。電極層２１Ａは、第１部分２１Ａａ、第２部分２１Ａｂ、第１突起部２１Ａｃ及び第２突起部２１Ａｄを有している。
【００５０】
コイル７Ａの一端部と第１端子電極４とは、接続部３６ａによって電気的に接続されている。コイル７Ａの他端部と第２端子電極５とは、接続部３０ａによって電気的に接続されている。接続部３０ａは、第１導体３０と一体に形成されている。接続部３６ａは、第７導体３６と一体に形成されている。
【００５１】
上記実施形態では、仮想線Ｌ１，Ｌ３と主面２ｄとの間に素体２を存在させる構成として、第１端子電極４の第１電極部分４ａに第１突起部４ｃが設けられており、第２端子電極５の第１電極部分５ａに第１突起部５ｃが設けられている形態を一例に説明した。また、仮想線Ｌ２，Ｌ４と端面２ａ，２ｂとの間に素体２を存在させる構成として、第１端子電極４の第２電極部分４ｂに第２突起部４ｄが設けられており、第２端子電極５の第２電極部分５ｂに第２突起部５ｄが設けられている形態を一例に説明した。しかし、仮想線Ｌ１，Ｌ３と主面２ｄとの間、及び、仮想線Ｌ２，Ｌ４と端面２ａ，２ｂとの間に素体２を存在させる構成はこれに限定されない。
【００５２】
図５（ａ）に示されるように、第１端子電極４Ａの第１電極部分４Ａａに設けられる第１突起部４Ａｃ、第２電極部分４Ａｂに設けられる第２突起部４Ａｄは、先端に向かって先細りとなる形状を呈していてもよい。同様に、第２端子電極５Ａの第１電極部分５Ａａに設けられる第１突起部５Ａｃ、第２電極部分５Ａｂに設けられる第２突起部５Ａｄは、先端に向かって先細りとなる形状を呈していてもよい。
【００５３】
図５（ｂ）に示されるように、第１端子電極４Ｂの第１電極部分４Ｂａに設けられる第１突起部４Ｂｃ、第２電極部分４Ｂｂに設けられる第２突起部４Ｂｄは、扇形を呈していてもよい。同様に、第２端子電極５Ｂの第１電極部分５Ｂａに設けられる第１突起部５Ｂｃ、第２電極部分５Ｂｂに設けられる第２突起部５Ｂｄは、扇形を呈していてもよい。
【００５４】
図６（ａ）に示されるように、第１端子電極４Ｃの第１電極部分４Ｃａに凹部４Ｃｃが設けられており、第２電極部分４Ｃｂに凹部４Ｃｄが設けられていてもよい。同様に、第２端子電極５Ｃの第１電極部分５Ｃａに凹部５Ｃｃが設けられており、第２電極部分５Ｃｂに凹部５Ｃｄが設けられていてもよい。
【００５５】
図６（ｂ）に示されるように、第１端子電極４Ｄの第１電極部分４Ｄａに設けられる第１突起部４Ｄｃは、主面２ｃ側に向かって延在していてもよい。同様に、第２端子電極５Ｄの第１電極部分５Ｄａに設けられる第１突起部５Ｄｃは、主面２ｃ側に向かって延在していてもよい。なお、第１端子電極４Ｄの第２電極部分４Ｄｂに設けられる第２突起部４Ｄｄ及び第２端子電極５の第２電極部分５Ｄｂに設けられる第２突起部５Ｄｄが、端面２ａ，２ｂ側に延在していてもよい。
【符号の説明】
【００５６】
１…積層コイル部品、２…素体、２ａ，２ｂ…端面（第１面、第２面）、２ｃ，２ｄ…主面（第１面、第２面）、２ｅ，２ｆ…側面、４…第１端子電極、４ａ…第１電極部分、４ｂ…第２電極部分、４ｃ…第１突起部、４ｄ…第２突起部、５…第２端子電極、５ａ…第１電極部分、５ｂ…第２電極部分、５ｃ…第１突起部、５ｄ…第２突起部、Ｌ１〜Ｌ４…仮想線。
【図１】
2019192829.tif 000003
【図２】
2019192829.tif 000004
【図３】
2019192829.tif 000005
【図４】
2019192829.tif 000006
【図５】
2019192829.tif 000007
【図６】
2019192829.tif 000008